(57)【要約】【課題】筆の変形がなく、しかも簡単に収納することのできる筆付き化粧料容器を提供すること。【解決手段】化粧料容器本体および蓋よりなり、前記化粧料容器本体の開口部にはリブが設けられ、前記蓋には、化粧料塗布用の筆とこれを収納する鞘部が取り付けられており、前記筆の軸部には、突起部が設けられており、前記鞘部には前記突起部に対応するガイド部が設けられ、前記突起部はこのガイド部にはめ込まれており、蓋の開閉に従って前記突起部がリブに押されることにより前記ガイド部中を上下し、筆先が鞘部から出没することを特徴とする筆付き化粧料容器。【選択図】  図３
2004290555.tif 000002
【特許請求の範囲】
【請求項１】
化粧料容器本体および蓋よりなり、前記化粧料容器本体の開口部にはリブが設けられ、前記蓋には、化粧料塗布用の筆とこれを収納する鞘部が取り付けられており、前記筆の軸部には、突起部が設けられており、前記鞘部には前記突起部に対応するガイド部が設けられ、前記突起部はこのガイド部にはめ込まれており、蓋の開閉に従って前記突起部がリブに押されることにより前記ガイド部中を上下し、筆先が鞘部から出没することを特徴とする筆付き化粧料容器。
【請求項２】
鞘部に更に鞘部中の液排出口を有する請求項第１項記載の筆付き化粧料容器。
【請求項３】
突起部が複数設けられている請求項第１項または第２項記載の筆付き化粧料容器。
【請求項４】
リブが環状リブである請求項第１ないし第３項のいずれかの項記載の筆付き化粧料容器。
【請求項５】
リブが筆のしごき部である請求項第１ないし第４項のいずれかの項記載の筆付き化粧料容器。
【請求項６】
化粧料が、液体化粧料である請求項第１項ないし第５項のいずれかの項記載の筆付き化粧料容器。
【発明の詳細な説明】
【０００１】
【発明の属する技術分野】
本発明は筆付き化粧料容器に関し、さらに詳しくは、化粧料容器の蓋に取り付けられた塗布用の筆が蓋の開閉に伴って鞘部から出没し、容器の閉蓋動作によって筆の毛先が化粧料によって曲がったり、ねじれたりすることのない筆付き化粧料容器に関する。
【０００２】
【従来の技術】
液状アイライナー、口紅、アイシャドウなどの化粧品においては、筆を使って液状の化粧料を塗布することが多く、容器の蓋にこのための筆が取り付けられていることが一般的である。
【０００３】
しかし、このような化粧料は、粘度の高い液状組成物や粉末状組成物である場合が多く、使用後、閉蓋時には蓋に取り付けられた筆の筆先が化粧料中に入る状態で容器内に収納されるため、筆の毛先が曲がってしまったり、ねじれてしまうことが多く、次の使用時に、きれいに化粧することが難しくなるという問題があった。
【０００４】
また、この筆の収納に当たっては、一般に容器の開口部に設けられている余分な化粧料を落とすためのしごき部に引っかかることによっても筆の毛先が曲がる場合があるという問題があった。
【０００５】
【発明が解決しようとする課題】
従って、筆先の変形がなく、しかも簡単に収納することのできる筆付き化粧料容器の開発が求められており、本発明はそのような化粧料容器の提供をその課題とするものである。
【０００６】
【課題を解決するための手段】
本発明者は、上記課題を解決すべく鋭意研究を行った結果、化粧料を塗布するための筆を鞘部に収納しておき、塗布時のみに鞘部から出るようにすれば、毛先の曲がりやねじれが起こらず、収納も容易であることを見出し、本発明に至った。
【０００７】
すなわち本発明は、化粧料容器本体および蓋よりなり、前記化粧料容器本体の開口部にはリブが設けられ、前記蓋には、化粧料塗布用の筆とこれを収納する鞘部が取り付けられており、前記筆の軸部には、突起部が設けられており、前記鞘部には前記突起部に対応するガイド部が設けられ、前記突起部はこのガイド部にはめ込まれており、蓋の開閉に従って前記突起部がリブに押されることにより前記ガイド部中を上下し、筆先が鞘部から出没することを特徴とする筆付き化粧料容器である。
【０００８】
【発明の実施の形態】
以下、本発明の実施態様を示す図面と共に本発明を更に詳しく説明する。
【０００９】
図１は、本発明の筆付き化粧料容器の一態様の外観を示す図面であり、図２はその筆付き化粧料容器本体の縦断面図、図３は蓋のＡ−Ａ’縦断面図である。図中、１は筆付き化粧料容器、２は化粧料容器本体、３は蓋、４はリブ、５は鞘部、６は筆、７は突起部、８はガイド部、９は液排出口をそれぞれ示す。
【００１０】
本発明の筆付き化粧料容器１の容器本体２は、その上部に開口部を有し、外部にねじが切られている。また、この開口部には、リブ４が設けられている。このリブ４は、上記開口部の内側に突出した環状の突起であり、鞘部５に付着した化粧料や筆先６ａに余分についた化粧料を落とすためのしごき部を兼ねている。
【００１１】
この容器本体の材質としては、種々のものを利用することができ、例えばプラスチック、金属、ガラスなどを用いることができる。また、化粧料の色や残存量がわかるように透明ないし半透明の材料、例えば、プラスチックやガラスを利用することもできる。一方、リブ４の材質としては、余分の化粧料をそぎ落とすことや、後記するように突起部７を押すことができ、かつこれを通過可能とすることが必要であるため、弾性を有する材料、例えば、ある程度の強い弾性を有するプラスチック、エラストマー、またはゴム等であることが好ましい。
【００１２】
一方、蓋３はその下部に筆６を収納した鞘部５が設けられている。この鞘部５には、鞘部５の軸方向に一定の長さで切り欠いたガイド部８が、角度１８０度の位置で２箇所設けられている。また、鞘部５中に収納された筆６は、筆先６ａと軸部６ｂよりなり、この軸部６ｂには、突起部７が角度１８０度の位置で２箇所設けられている。これらの突起部７は、２箇所の前記ガイド部８に各々はめ込まれており、このガイド部８内を上下するようになっている。更に、鞘部５には、この中に入っている化粧料が自由に流出できる液排出口９が設けられている。
【００１３】
次に、上記した本発明の筆付き化粧料容器１において筆６が蓋３の開閉に伴って鞘部５から出没する機構を図４および図５を用いて説明する。
【００１４】
図４（Ａ）は、筆６の筆先６ａが鞘部５から出ている状態を示すものであり、（Ｂ）はその状態になるための、リブ４と突起部７の関係を示すものである。鞘部５（および筆６）が化粧料容器本体２中に収納されている状態から、蓋を回転させると蓋の内部に切られたねじの螺合作用により蓋３が開き始める。この蓋が開くのと同時に、これに取り付けられた鞘部５は上方に移動し始める。鞘部５が上方移動すると、そのガイド部８にはめ込まれ、鞘部５より突出している突起部７は、容器本体２の開口部に設けられたリブ４に当たり、ガイド部８中を下方に移動する。
【００１５】
そして、突起部７がガイド部８の下端に達するとそれ以上は動かなくなるが、リブ４は弾性を有するため、突起部７があるにも関わらず鞘部５は開口部から抜き出すことができる。そして、鞘部５を容器本体２の開口部から抜き出した時には、筆先６ａは鞘部５から出た状態であり、化粧に使用することができる。
【００１６】
一方、図５（Ａ）は、筆６の筆先６ａが鞘部５に収納されている状態を示すものであり、（Ｂ）はその状態になるための、リブ４と突起部７の関係を示すものである。化粧に使用した筆６は、筆先６ａが出た状態で容器本体２の開口部に入れられるが、鞘部５が適当に入ったところで、リブ４にガイド部８から突出した突起部７が当たる。そして、最初は突起部７はリブ４に押され、ガイド部８の上端にまで移動し、この突起部が取り付けられた筆６は上方向に移動し、筆先６ａは鞘部５内に入る。このため、筆先６ａは、それを曲げようとする化粧料からの抵抗をほとんど受けることがない。ガイド部８の上端まで移動した突起部７は、そこで停止するが、蓋を閉める方向に回転させると、ねじの螺合作用により突起部７は下方向の力を受け、リブ４に弾力性があるため、鞘部５は更に容器本体２内に入ることができる。そして最終的に蓋３が閉る。
【００１７】
上記したような機構で、筆先６ａは蓋３に設けられた鞘部５から出没するが、ガイド部８と突起部７の間に適当な摩擦があるように設計することにより、使用中の筆先６ａにかかる圧力が主に横向き方向であるため、化粧に使用しても鞘部５内に収納されてしまうことはない。
【００１８】
また、突起部７は、本実施態様においては、２箇所設けられているが、１箇所または３箇所以上の複数であってもよい。ただし、鞘部５中の筆６の上下動をスムースに行うためには、２箇所以上の突起部を設けることが好ましい。さらに、ガイド部８は、筆付き化粧料容器１の閉蓋時に筆先６ａが鞘部５に完全に収まるように、その長さ（図４中のｘ）が筆先６ａの長さ（図４中のｙ）より長いか、あるいは等しいことが好ましい。
【００１９】
また、鞘部５に中に入っている化粧料が自由に流出できる液排出口９を設ければ、化粧料の抵抗を少なくすることができ、鞘部５からの筆６の出没がスムースとなる。
【００２０】
【発明の効果】
以上説明した本発明の筆付き化粧料容器は、使用時にのみ筆先が出るものであるため、使用後、筆先を化粧料容器に収納する際に、容器内の化粧料によって筆の毛先が曲がったり、ねじれてしまうことがなく、また毛先は鞘部内に小さく収まるため収納も容易である。
【００２１】
従って、筆により塗布する化粧料、例えば液状アイライナー、口紅、アイシャドウ、マニキュア等、液状化粧料や粉末状化粧料の容器として使用できるものであり、特に粘性の高い液体化粧料用の容器として有利に使用することができるものである。
【００２２】
【図面の簡単な説明】
【図１】本発明の筆付き化粧料容器の一態様の外観を示す図面である。
【図２】図１の筆付き化粧料容器の容器本体の縦断面図である。
【図３】図１の筆付き化粧料容器の蓋の縦断面図である。
【図４】鞘部から筆先が出ている状態を示す図面（Ａ）およびこの状態となるためのリブと突起部の関係を示す図面（Ｂ）である。
【図５】鞘部に筆先が入った状態を示す図面（Ａ）およびこの状態となるためのリブと突起部の関係を示す図面（Ｂ）である。
【符号の説明】
１  …  …  筆付き化粧料容器
２  …  …  化粧料容器本体
３  …  …  蓋
４  …  …  リブ
５  …  …  鞘部
６  …  …  筆
６ａ…  …  筆先
６ｂ…  …  軸部
７  …  …  突起部
８  …  …  ガイド部
９  …  …  液排出口
以    上
【図１】
2004290555.tif 000003
【図２】
2004290555.tif 000004
【図３】
2004290555.tif 000005
【図４】
2004290555.tif 000006
【図５】
2004290555.tif 000007